(57)【要約】【課題】保冷剤パックが何らかの要因で破損し、保冷剤内容物が飛び出して、輸送物に付着混合し、更に万が一人間の体内に経口混入した場合でも健康被害を生じることない保冷剤において、凍結解凍後もゲル離水がほとんど発生せずゲル作用による保形性（ゲル性）を維持できるとともに、再凍結した場合におけるソフト感も維持できる保冷剤を提供すること。【解決手段】水保持ゲル体である保冷剤。凍結解凍耐性付与剤としての重量平均分子量１８０〜１５０００の糖質と、ゲル体形成剤としての天然物由来ゲル化増粘剤とを必須成分として含有し、適宜、凍結防止剤としてアルコール類を含有する。保冷時間が水の場合の７割程度以上を示す。【選択図】なし【特許請求の範囲】
【請求項１】
凍結解凍耐性付与剤としての重量平均分子量（Ｍw）１８０〜１５０００の糖質と、ゲル体形成剤としての天然物由来のゲル化増粘剤とを必須成分として含有した水保持ゲル体であり、保冷時間が水（氷）の場合の７割以上を示すものであることを特徴する保冷剤。
【請求項２】
重量平均分子量（Ｍw）１８０〜１５０００の糖質の濃度（含有率）が１〜４５質量％であり、天然物由来のゲル化増粘剤の含有率が０．１〜１０質量％であり、それらの混合比率が糖質／ゲル化増粘剤（質量比）＝３０／１〜１／１であることを特徴とする保冷剤。
【請求項３】
前記糖質の重量平均分子量（Ｍw）が８００以上であり、且つ、含有率が１〜２０質量％であり、前記ゲル化増粘剤の濃度（含有率）が０．５〜５質量％であり、両者の混合比率が前者／後者（質量比）＝１０／１〜１０／６であることを特徴とする保冷剤。
【請求項４】
前記糖質が澱粉分解物であるとともに、前記ゲル化増粘剤が、寒天、カラギーナン、ゼラチン又はカルボキシメチルセルロース（ＣＭＣ）の群から選択される１種又は２種以上の混合物であることを特徴とする請求項１、２又は３記載の保冷剤。
【請求項５】
凍結解凍耐性付与剤としての重量平均分子量（Ｍw）１８０〜１５０００の糖質と、ゲル体形成剤としての天然物由来のゲル化増粘剤と、０℃よりも低い低温環境下に於いて凍結しないアルコール系の凍結防止剤とを必須成分として含有した水保持ゲル体であり、保冷時間が水（氷）の場合の７割以上を示すものであり、且つ、凍結時柔軟性を示すことを特徴する保冷剤。
【請求項６】
重量平均分子量（Ｍw）１８０〜１５０００の糖質の濃度（含有率）：１〜１３質量％、天然物由来のゲル化増粘剤の含有率：０．１〜５質量％であり、及び、炭素数２〜６のアルコール類（多価アルコールを含む。）の含有率：１〜１５質量％含有するとともに、水の含有率：６７％以上であり、糖質／ゲル化増粘剤（質量比）＝１０／０．１〜１０／８、糖質／アルコール類（質量比）＝１０／１〜１０／３０であることを特徴とする保冷剤。
【請求項７】
重量平均分子量（Ｍw）８００〜１５０００の糖質の濃度（含有率）：３〜８質量％、天然物由来のゲル化増粘剤の含有率：０．５〜３質量％であり、及び、炭素数２〜６のアルコール類（多価アルコールを含む。）の含有率：３〜８質量％含有するとともに、水の含有率が８１％以上であり、糖質／ゲル化増粘剤（質量比）＝１０／０．８〜１０／５、糖質／アルコール類（質量比）＝１０／２〜１０／２５であることを特徴とする保冷剤。
【請求項８】
前記糖質が澱粉分解物であるとともに、前記ゲル化増粘剤が、寒天、カラギーナン、ゼラチン又はカルボキシメチルセルロース（ＣＭＣ）の群から選択される１種又は２種以上の混合物であり、前記凍結防止剤（アルコール類）が、エタノール、エチレングリコール又はグリセリンの群から選択される１種又は２種以上の混合物であることを特徴とする請求項５、６又は７記載の保冷剤。
【請求項９】
前記ゲル化増粘剤の種類及び濃度（含有率）の一方又は双方を変化させて、ゲル硬さが調節されてなることを特徴とする請求項１〜８のいずれかに記載の保冷剤。
【請求項１０】
前記糖質の重量平均分子量（Ｍw）および濃度（含有率）の一方又は双方を変化させて、保冷温度及び保冷時間の一方又は双方が調節されてなることを特徴とする請求項１〜９のいずれか一記載の保冷剤。
【請求項１１】
請求項１〜１０のいずれか一記載の保冷剤が軟質樹脂フィルムからなる袋体（保冷剤カバー）に充填密封されてなることを特徴とする保冷剤パック。
【請求項１２】
請求項１１記載の保冷剤パックの製造方法であって、前記糖質を所要量の水に溶解させた後、前記ゲル化増粘剤を添加し加熱溶解させた調製液を、冷却ゲル化前に前記袋体に充填・密封することを特徴とする保冷剤パックの製造方法。
【発明の詳細な説明】
【技術分野】
【０００１】
本発明は、天然物起源の保冷剤に関し、特に、食品に接触し、人間の体内に入っても安全であり、食品用保冷剤として好適な保冷剤に係る発明である。
【０００２】
なお、本明細書及び特許請求の範囲において、「保冷時間」とは室温下に放置した場合の保冷剤の表面温度が０℃以下を維持する時間の長さのことである。「保冷温度」とは保冷剤の表面温度が０℃以下で安定する状態の温度のことである。「凍結解凍耐性」とは、繰り返し解凍した場合に、繰り返し使用後においても、ゲル離水が発生せず、ゲル保形性を維持することができる耐用性能を意味する。また、本明細書で「平均分子量」は「重量平均分子量（Ｍw）」を意味する。
【背景技術】
【０００３】
現在、市場では冷凍食品・菓子・医薬品・生鮮食品など、輸送時の梱包において品温が上昇することにより品劣化を嫌う場合、更には、発熱時の氷枕の代替として、ポリアクリル酸ソーダ、ポリビニルアルコール、アクリル酸グラフト重合澱粉などの吸水性樹脂（吸水ポリマー）を水と混合し、冷凍庫で凍らせて繰り返し使用するタイプの保冷剤が存在する。
【０００４】
これらの保冷剤は、食品などに直接接触しない様に樹脂性の袋或いはパックに詰められており、解凍時にはゲル状の軟らかい触感を有している。
【０００５】
しかし、往々にして輸送時の衝撃などのアクシデントにより、保冷剤を詰めた袋或いはパックが破損し、輸送物に付着混入してしまうケースがある。現在、保冷剤の中味に使用されている上記樹脂は、毒性は低いものの、人間の体内に入って安全であるとは言いがたいものであり、保冷剤パックにも「食べないで下さい」・「食べられません」などの表示がなされている。
【０００６】
これらの状況に対して、安全性を謳って、天然物素材の増粘多糖類をゲル化剤とする保冷剤が、特許文献１・２等で提案されている。
【０００７】
特許文献１：ヘリックス構造を有する多糖類（キサンタンガム、カラギーナン等）及びマンナンを構成成分とする多糖類（ローカストビンガム等）からなる機能性ゲル物質を主成分とする保冷剤（特許請求の範囲等）。
【０００８】
特許文献２：グアーガム・タマリンドガム（植物由来多糖類：保水性増粘化基材）の一種からの保水性増粘化基材と、カシアガム・ローカストビーンガム・タラガム・キサンタンガム（植物由来多糖類）からなる保形性ゲル化基材とで形成される保冷剤が提案されている（特許請求の範囲等）。
【０００９】
これら植物ガム類を組み合わせて製造されるゲル素材は、人体への有害性の面では特段の問題のあるものではない。これらの技術は植物ガム類を水分散体にし、加熱‐糊化‐冷却を行い、更に個々の構造をブレンドによって組み合わせ、ガム分子の架橋点ネットワーク構造を作り、そこに融解熱の高い水分子を包含させて保冷剤ゲルとするものである。
【００１０】
しかし、これらの汎用のゲル化増粘剤（増粘多糖類）のみからなるゲル体をベースにしたものは、解凍によるゲル離水によりゲル性（保形性）が失われ、また、保形性が失われないとしても、凍結した場合、ソフト感（柔軟性）が得られないことが分かった。
【００１１】
更に、糖質と前記ゲル化剤を組み合わせることにより、糖質の含有率が35％以上であれば、家庭用冷蔵庫の冷凍庫において凍結させても柔軟性は維持できることが分かったが、その場合、熱容量の大きい水の配合割合が65％未満となることから、保冷時間を確保し難くなり、反対に、保冷時間を長くする為に糖質の含有率を35％以下にすると、凍結時の柔軟性が相対的に低下することが分かった。
【特許文献１】特開平４−２８３４３１号公報
【特許文献２】特開平１１−１９０７５０号公報
【発明の開示】
【発明が解決しようとする課題】
【００１２】
本発明は、上記にかんがみて、保冷剤パックが何らかの要因で破損し、保冷剤内容物が飛び出して、輸送物に付着混合し、更に万が一人間の体内に経口混入した場合でも健康被害を生じることない保冷剤において、凍結解凍後もゲル離水がほとんど発生せずゲル作用による保形性（以下「ゲル保形性」という。）を維持できるとともに、凍結した場合におけるソフト感も維持できる保冷剤を提供することを第一の目的（第一課題）とする。
【００１３】
更には水の含有率を増加させることにより−20℃の家庭の冷凍庫で凍結させても長時間の保冷時間と柔軟性を有する、柔軟なシート状の保冷剤を提供することを第二の目的(第二課題)とする。
【課題を解決するための手段】
【００１４】
（Ａ）本発明者らは、上記第一課題を解決するために、先ず混入時の安全性を確保するには経口で体内に入っても安全性が確認されている天然物・食品添加物を保冷剤のベースにすることを考え、保冷剤の開発に鋭意努力をした。その結果、基本性能である保冷時間と保冷温度に関して、各種の糖質を、天然物由来ゲル化増粘剤と組み合わせて試験することにより下記知見に到達した。
【００１５】
・結解凍後もゲル保形性を維持され、さらには、凍結した場合のソフト感が維持される。
【００１６】
・糖質の平均分子量が大きくなるに従って保冷時間が長くなり、糖質の分子量が小さくなるに従って、保冷温度が低くなる。
【００１７】
・糖質の濃度が高くなるに従って保冷温度が低くなり、濃度を低くすることで保冷時間が長くなる。
【００１８】
上記知見に基づき、下記各構成の「糖質をベースに、天然素材のゲル化増粘剤（増粘多糖類）を混合した保冷剤」（第一発明）に想到した。
【００１９】
１）凍結解凍耐性付与剤としての平均分子量１８０〜１５０００の糖質と、ゲル体形成剤としての天然物由来ゲル化増粘剤とを必須成分として含有した水保持ゲル体であり、保冷時間が水の場合の７割程度以上を示すものであることを特徴する。
【００２０】
上記構成により保冷剤が、凍結解凍耐性（ゲル性を失わない。）を示す理由は、下記の如くであると推定される（新たな考察）。
【００２１】
本発明の保冷剤は、ゲル化増粘剤によって、ネットワーク構造（架橋構造）を維持することによりゲル性を有している。
【００２２】
糖質を含まない保冷剤を冷凍（凍結）すると、氷結晶が発達し易く、氷結晶が成長することにより、保冷剤のネットワーク構造を破壊してしまう。このため、解凍によりゲル性を維持できず、溶液状態となる。
【００２３】
これに対して、糖質を含む保冷剤は、冷凍しても、氷結晶が成長せず、微細氷結晶の集合体の状態であり、保冷剤のネットワーク構造が破壊されない。このため、解凍後も、ネットワーク構造が維持され、ゲル性（凍結解凍耐性）を有する。再凍結しても、ソフト感を維持可能となる。
【００２４】
また、保冷温度帯（氷と水が共存して温度が安定している状態）において、糖質を含む保冷剤は、上記の如く、氷は微細結晶の集合体であるため、移動可能である。このため、保冷剤は、凍結使用時においても、ソフト感を維持できる。
【００２５】
なお、従来の吸水ポリマー系の保冷剤の場合は、氷結晶が成長してもネットワーク構造は強固であり、破壊されない。しかし、氷結晶が成長しており、保冷温度帯の氷が水にある程度変換されないと、保冷剤にソフト感が出てこない。すなわち、保冷温度帯の初期においては、本発明の保冷剤より硬い（剛い）状態である。
【００２６】
２）第一発明の保冷剤の組成的構成は下記の内容となる。
【００２７】
平均分子量１８０〜１５０００の糖質の濃度（含有率）が１〜４５質量％であり、前記ゲル化増粘剤の含有率が０．５〜１０質量％であり、それらの混合比率が前者／後者（質量比）＝６０／１〜１／３である。
【００２８】
３）上記構成の保冷剤において、前記糖質の平均分子量を８００以上とし、且つ、含有率を１〜２０質量％とし、前記ゲル化増粘剤の濃度（含有率）を０．５〜５質量％とし、それらの混合比率を前者／後者（質量比）＝１０／１〜５／３とすることができる。
【００２９】
当該構成の保冷剤は、糖質含有率１３質量％以下で保冷時間が水（氷）の場合の同等以上となる（実施例１の１〜３参照）。なお、糖質含有率２０質量％前後になると保冷時間が水（氷）の場合の９割程度になることを確認している。
【００３０】
４）上記各構成の保冷剤における、前記糖質としては、例えば、澱粉分解物とし、前記ゲル化増粘剤としては、例えば、寒天、カラギーナン、ゼラチン又はカルボキシメチルセルロース（ＣＭＣ）の群から選択される１種又は２種以上の混合物とすることができる。
【００３１】
これらの原料（材料）は、汎用品であり、市場からの入手が容易である。
【００３２】
５）本発明の上記各構成の保冷剤は、ゲル化増粘剤の種類及び濃度（含有率）の一方又は双方を変化させれば、ゲル硬さを調節できる。
【００３３】
６）本発明の上記各構成の保冷剤は、糖質の重量平均分子量（Ｍw）及び濃度（含有率）の一方又は双方を変化させれば、保冷温度及び保冷時間の一方又は双方を調節できる。
（Ｂ）本発明者らは、上記課題を解決する為に、先ず混入時の安全性を確保するには経口で体内に入っても安全性が確認されている天然物・食品添加物を保冷剤のベースにすること、そして、熱容量の大きい水の含有率を極力増加させて保冷時間を長くすること、即ち、低温でも凍結を抑制する凍結防止作用を有する水親和性の高い低級アルコール系保水剤（エタノール・エチレングリコール・グリセリン等）を添加して水の含有率を増やすことができないかを試みた。
【００３４】
そして、基本性能である保冷時間と保冷温度・凍結時柔軟性に関して、各種の糖質を、天然物由来ゲル化剤及び各種の凍結防止作用を有する添加剤と組み合わせて種々の試験をした結果、下記のような新たな知見に到達した。
【００３５】
・ 凍結解凍後もゲルの保形性を維持され、更には、凍結防止作用を有する添加剤を少量加えることで、水の含有率が６５％以上でも凍結時柔軟性は維持される。
【００３６】
・凍結防止作用を有する添加剤を追加することで、水の量を増やし、結果として保冷時間の長期化が実現される。
【００３７】
・ 凍結防止作用を有する添加剤の添加量を上げることで、−20℃の冷凍庫でも凍結しない液状保冷剤を得ることができる。
【００３８】
上記知見に基づき、下記各構成の「糖質をベースに、天然素材のゲル増粘剤(増粘多糖類)とアルコール系の凍結防止剤を混合した凍結時柔軟性を有する保冷剤」（第二発明）に想到した。
【００３９】
１）結解凍耐性付与剤としての重量平均分子量（Ｍw）１８０〜１５０００の糖質と、ゲル体形成剤としての天然物由来のゲル化増粘剤と、０℃よりも低い低温環境下において凍結しないアルコール系の凍結防止剤とを必須成分として含有した水保持ゲル体であり、保冷時間が水（氷）の場合の７割以上を示すものであり、且つ、凍結時柔軟性を示すことを特徴する。
【００４０】
上記構成により保冷剤が、凍結解凍耐性(ゲル性を失わない)を有し、65％以上という高水分含量においても凍結時柔軟性を維持する。理由は下記の如くであると推定される。
【００４１】
本発明の高水分含量下でも凍結時に柔軟性を失わない保冷剤は、ゲル化増粘剤によって、ネットワーク構造(架橋構造)を維持することによりゲル性を有している。
【００４２】
糖質を含まない保冷剤を冷凍(凍結)すると、氷結晶が発達し易く、氷結晶が成長することにより、保冷剤のネットワーク構造を破壊してしまう。このため、解凍によりゲル性を維持できず、溶液状態となる。
【００４３】
これに対して、糖質を含む保冷剤は、冷凍しても、氷結晶が成長せず、微細氷結晶の集合体の状態であり、保冷剤のネットワーク構造が破壊されない。このため、解凍後も、ネットワーク構造が維持され、ゲル性(凍結解凍耐性)を有する。しかし、凍結時の柔軟性を維持する特性に関しては、糖質の量が約３５％以上 (即ち、ゲル体の水分含量が約６５％未満) という比較的高濃度のゲル状溶液でないものは、微細氷結晶形成するものの、その集合体間での氷結現象を起こし、凍結時に柔軟性を維持することができない。
【００４４】
しかし、ゲル化剤と糖質に、さらに、炭素数２〜６の水親和性が高いアルコール系の凍結防止剤(例えば、エタノール・エチレングリコール・グリセリン等)を加えることにより、高水分含量下のゲル体においても、微細氷結晶集合体の間の氷結現象をこれらの凍結防止作用を有する添加剤が阻害することにより、凍結時柔軟性を損なうことはない。
【００４５】
また、保冷温度帯(氷と水が共存している状態)においても、アルコール系の凍結防止剤を含む保冷剤は、水の含有率が高くても、上記の如く、微細氷結晶の集合体間の氷結現象が阻害される。このため、局部的な氷塊を含むことなく、均一な柔軟性を示す。
【００４６】
なお、従来の吸水ポリマー系の保冷剤の場合は、氷結晶が成長してもネットワーク構造は強固であり、ゲル破壊は生じない。しかし、氷結晶が成長しており、単位氷結晶が本発明の保冷剤に比較して大きいために、保冷温度帯の氷が水に変換される過程において、吸水ポリマー系保冷剤は、均一なゲル柔軟性を維持できない。
【００４７】
２）第二発明の保冷剤の組成的構成は下記の内容となる。
【００４８】
重量平均分子量（Ｍw）１８０〜１５０００の糖質の濃度（含有率）：１〜１３質量％、天然物由来のゲル化増粘剤の含有率：０．１〜５質量％であり、及び、炭素数２〜６のアルコール類（多価アルコールを含む。）の含有率：１〜１５質量％含有するとともに、水の含有率：６７％以上であり、糖質／ゲル化増粘剤（質量比）＝１０／０．１〜１０／８、糖質／アルコール類（質量比）＝１０／１〜１０／３０であることを特徴とする。
【００４９】
３）第二発明の保冷剤の望ましい態様は下記内容となる。
【００５０】
重量平均分子量（Ｍw）８００〜１５０００の糖質の濃度（含有率）：３〜８質量％、天然物由来のゲル化増粘剤の含有率：０．５〜３質量％であり、及び、炭素数２〜６のアルコール類（多価アルコールを含む。）の含有率：３〜８質量％含有するとともに、水の含有率：８１％以上であり、糖質／ゲル化増粘剤（質量比）＝１０／０．８〜１０／５、糖質／アルコール類（質量比）＝１０／２〜１０／２５であることを特徴とする。
【００５１】
４）上記構成の保冷剤における、糖質及びゲル化増粘剤としては、第一発明の保冷剤におけるものと同様のものを好適に使用できる。凍結防止剤（アルコール類）としては、エタノール、エチレングリコール又はグリセリンの群から選択される１種又は２種以上の混合物を好適に使用できる。
【００５２】
５）第二発明においても、第一発明と同様、ゲル化増粘剤の種類及び濃度（含有率）の一方又は双方を変化させて、ゲル硬さを調節したり、糖質の平均分子量（Ｍw）および濃度（含有率）の一方又は双方を変化させて、保冷温度及び保冷時間の一方又は双方が調節したりすることができる。
【００５３】
（Ｃ）上記各構成の第一・第二発明の保冷剤は、通常、軟質樹脂フィルムからなる袋体（保冷剤カバー）に充填密封して保冷剤パックとする。そして、上記構成の保冷剤パックは、前記糖質を所要量の水に溶解させた後、前記ゲル化増粘剤を添加し加熱溶解させた調製液を、冷却ゲル化前に前記袋体に充填・密封して、製造する。高温のまま袋体に充填することができ、カビ等の発生が防止できる。
【発明を実施するための最良の形態】
【００５４】
以下、第一発明・第二発明の保冷剤の望ましい形態（構成）について、説明をする。以下の説明で、各成分組成を規定する「％」、「部」、「混合比」等は、特に断らない限り、「質量単位」を意味する。
【００５５】
（Ａ）第一発明の保冷剤：
本保冷剤は、基本的には、糖質をベースに、天然素材のゲル化増粘剤（増粘多糖類）を混合した保冷剤である。すなわち、糖質をゲル化増粘剤と組み合わせることにより、凍結解凍時のゲル破壊（保形性維持）を防ぎ、繰り返し使用における保形性を維持する凍結解凍耐性を付与でき、凍結時のソフト感も維持できる。
【００５６】
１）糖質としては、平均分子量約１８０〜１５０００の範囲で適宜使用可能である。
【００５７】
具体的には、糖類（グルコース）、澱粉糖化物・還元澱粉糖化物等の澱粉分解物を好適に使用できるが、砂糖やセルロース分解物であってもよい。
【００５８】
澱粉分解物の澱粉としては、トウモロコシ、小麦、米等の種子系、ジャガイモ等の塊茎、サツマイモ、タピオカ等の根茎、貯蔵澱粉の分解物を通常使用する。また、アミロース系及びアミロペクチン系のいずれでもよい。
【００５９】
なお、想定される凍結解凍使用頻度や目的によっては、さらには、澱粉誘導体(酸化澱粉・エステル化澱粉・エーテル化澱粉など加工澱粉)の糊化物も使用できる。
【００６０】
そして、糖質（炭水化物）は、分子量が高い方が、保冷時間が長くなる傾向にあり、分子量が低い方が、保冷温度が低下する傾向にある。
【００６１】
例えば、平均分子量８００以上とした場合、水（氷）と同等以上の保冷時間を確保し易い（後述の実施例１の１・２参照）。また、分子量５００以下とした場合、水（氷）の７割以上の保冷時間を確保でき、さらには、保冷温度が０℃より低くなる（実施例１の３参照）。
【００６２】
糖質濃度が低すぎると、モル凝固点の関係から保冷温度性能に問題が発生し易く、糖質濃度が高過ぎると、冷凍庫での凍結温度が低くなりやすい。実用上、家庭の冷蔵庫の冷凍室(−２０℃)で凍結させること、及び、実用的な保冷時間の確保（水（氷）の場合の７割以上）を考慮して、糖質含量１〜４０％の範囲で適宜選定する（実施例１の１・４・１１・１２参照）。糖質濃度が４０％を越えると保冷時間が水（氷）の７割以上を確保し難い（比較例１参照）。
【００６３】
なお、保冷時間を水と同等以上とするには、糖質濃度を２０％以下とする。保冷時間を従来例（吸水ポリマーベース）と同等以上とするには、約７％以下とする（実施例１の４〜１の１０参照）。この場合の糖質濃度の下限は、ゲル化剤であるゲル化増粘剤（増粘多糖類）の種類にもよるが、凍結解凍耐性（解凍後の保形性（ゲル）維持）を確実に担保するためには３％以上とすることが好ましい。
【００６４】
２）ゲル化増粘剤は、保冷剤の凍結時、主として、パック中の液体の容易な流動を防ぐことで、保冷剤の形態保持性（保形性：異形凍結の防止、解凍時或いは部分解凍時に形態安定性）とソフト感（柔らかい触感）を付与する作用を担う。
【００６５】
ゲル化増粘剤としては、従来使用されてきた汎用のもの、例えば、増粘多糖類、ゼラチン（膠；誘導たんぱく質）、カルボキシメチルセルロース（ＣＭＣ）、ペクチン、冷水可溶性澱粉誘導体などを使用できる。
【００６６】
増粘多糖類としては、冷水可溶性澱粉誘導体、植物粘物質（植物種子由来、果実由来、海草由来）、植物ゴム質（植物樹液由来）、微生物由来（発酵多糖類）のものを挙げることができる。
【００６７】
具体的には、アラビアガム、グアーガム、サイリウムシードガム、トウガラカントゴム、メスキットゴム、ガッチガム、（以上植物ゴム質）；カラギーナン、寒天、アルギン酸、ラミナラン（以上植物粘物質）、等を挙げることができる。さらには、特許文献１・２に記載のキサンタンガム、ローカストビンガム、グアーガム、タマリンドガム、カシアガム、タラガム、等も使用可能である。
【００６８】
ゲル化増粘剤の保冷剤中の含有率は、ゲル化増粘剤の種類及び組合せにより若干変動するが、通常、要求される保冷剤の形態保持性及びソフト感のバランスから、約０．１〜１０％、好ましくは約０．５〜５％の範囲から適宜選定する。
【００６９】
３）糖質及びゲル化増粘剤の混合比率は、上記各成分の濃度範囲であれば、特に限定されないが、通常、前者／後者（質量比）＝約６０／１〜１／３、好ましくは、約１０／１〜５／３とする。
（Ｂ）第二発明の保冷剤：
第二発明の保冷剤は、基本的には、糖質をベースに、天然素材のゲル化増粘剤(増粘多糖類)と凍結防止剤(天然物由来及び化学合成品)を混合した保冷剤である。即ち、糖質をゲル化増粘剤及び凍結防止剤と組み合わせることにより、凍結解凍時のゲル破壊を防ぎ(保形性維持)、繰り返し使用における保形性を維持する凍結解凍耐性を付与でき、更に、凍結防止剤の作用により、６７％以上（更には８１％以上）の水分含有率においても、凍結時の充分なソフト感(柔軟性)を維持することができる様になる。
【００７０】
１）糖質は、前述の第一発明において例示したものを使用できる。
【００７１】
なお、第二発明においても、糖質が平均分子量８００以上の場合、水(氷)と同等以上の保冷時間を確保し易い(後述の実施例２の４・５参照)。また、糖質が分子量５００以下の場合でも、水(氷)の7割以上の保冷時間を確保できる(実施例２の３参照)。
【００７２】
糖質の濃度（含有率）：１〜１３％（望ましくは３〜８％）とする。
【００７３】
糖質濃度が低すぎると、モル凝固点の関係から保冷温度性能に問題が発生し易く、糖質濃度が高すぎると、冷凍庫での凍結温度が低くなりやすい。実用上、家庭の冷蔵庫の冷凍室(−２０℃)で凍結させること、及び、実用的な保冷時間の確保(水(氷)の場合の７割以上)を考慮して、糖質含有率1〜１３％の範囲で適宜選定する(実施例２の１・２・４・５参照) 。本発明による保冷剤に関しては、糖質濃度が１３％を超えると保冷時間が水(氷)の7割以上を確保しがたい(比較例２参照) 。
【００７４】
なお、保冷時間を水と同等以上、乃至、保冷時間を従来例(吸水ポリマーベース)と同等以上とするには、約８％以下とする(実施例２の１・２・４・５参照) 。この場合の糖質濃度の下限は、ゲル化剤であるゲル化増粘剤(増粘多糖類)の種類にもよるが、凍結解凍耐性(解凍後の保形性(ゲル)維持)を確実に担保する為には３％以上とすることが好ましい。
【００７５】
２）ゲル化増粘剤も、前述の第一発明において例示したものを使用できる。
【００７６】
ゲル化増粘剤の保冷剤中の含有率は、ゲル化増粘の種類及び組み合わせにより若干変動するが、通常、要求される保冷剤の形態保持性及び解凍時のソフト感のバランスから、望ましくは０．１〜５％（より望ましくは０．５〜３％）の範囲から適宜選定する。
【００７７】
なお、ゲル化増粘剤の糖質に対する混合比率は、好ましくは糖質／ゲル化増粘剤（質量比）＝１０／０．１〜１０／８、より好ましくは１０／０．８〜１０／５とする。
【００７８】
３）凍結防止剤は、保冷剤の凍結時、微細氷結晶の集合体が氷結することを阻害することにより、保冷剤パックが柔軟性を保持し、シート状の形態においては折り曲げなどが自由に出来る様にし、そのときの折り曲げ形態保持を目的として使用される。
【００７９】
凍結防止剤としては、発酵エタノール、天然グリセリン、発酵プロパンジオール、発酵乳酸、糖アルコール等(以上、天然物由来)や、メタノール、合成エタノール、合成プロパノール、合成プロパンジオール、合成エチレングリコール、合成プロピレングリコール、合成グリセリン、合成乳酸等(以上、石油合成品)の、低融点水溶性有機溶媒が挙げられる。すなわち、炭素数２〜６の一価アルコール、多価アルコール及びそれらの誘導体を上げるさらにはそれらの中でも、エタノール、エチレングリコール、グリセリン等がコストの関係から好適に使用可能である。
【００８０】
凍結防止剤（アルコール類）の保冷剤中の含有率は、凍結防止剤の種類及び組み合わせにより若干変動するが、通常、要求される保冷剤の凍結時の柔軟性と折り曲げホールド性のバランスから、好ましくは約１〜１０％、より好ましくは３〜８％の範囲から適宜選択する。
【００８１】
なお、凍結防止剤（アルコール類）の糖質に対する混合比率は、好ましくは糖質／アルコール類＝１０／１〜１０／３０、より好ましくは同＝１０／２〜１０／２５とする。
（Ｃ）そして、上記第一発明・第二発明の保冷剤（組成物）は、下記の如く調製して保冷剤パックとする。
【００８２】
まず、前記糖質を所要量（約２〜１００倍）の水に溶解させた後、所要量のゲル化増粘剤添加し、第二発明の場合は、更にアルコール類を添加して、加熱溶解させる。このときの温度は、増粘多糖類の種類や水和性によっても異なり、水和性の強いものであれば常温で攪拌溶解させ、水和性の低いものであれば６０℃以上で攪拌加熱溶解させる。しかし、保冷剤組成物の殺菌を考慮した場合は、８０℃以上にて攪拌加熱溶解して調整することが好ましい。
【００８３】
該調製流動体を、ポリエチレン等の軟質樹脂フィルムからなる袋体に充填し、密封する。この密封は、ポリエチレン等の場合、例えば、熱溶着（熱シール）により行うことができる。
【００８４】
こうして調製した保冷剤パックは、家庭用の冷凍庫に入れて凍結させて、繰り返し使用可能である。この際、凍結解凍後もゲル保形性を有するため、冷凍庫内で変形することなく再凍結され、再凍結後もソフト感を維持する。また、万一、保冷剤カバーが破れて、食品付着しても、該食品が使用（食）困難ないし不可となることもない。
【００８５】
すなわち、本実施形態の保冷剤は、安全性が確認されている天然物や食品添加物を原料にして、現在市場に多く出回っている吸水性樹脂を原料とした保冷剤と同等の性能を有するものとすることができ、たとえ、誤って経口から体内に入るようなことがあっても安全である。
【００８６】
なお、第一発明の保冷剤は、後述の実施例で示す如く、糖濃度及び糖の平均分子量の調節により、必要に応じた保冷温度の保冷剤を製造できる。
【００８７】
また、第二発明の保冷剤は、糖濃度及び糖の平均分子量・凍結防止剤の種類と量の調節により、凍結時の柔軟性のレベルを変化させうる他、必要に応じた保冷温度が調節可能な保冷剤を製造できる。
【実施例】
【００８８】
次に第一・第二発明の効果を確認するために行った比較例とともに行った実施例について説明する。
【００８９】
なお、糖質は下記のものを使用した。
【００９０】
・糖質Ａ：澱粉分解物（コーンスターチ起源）で平均分子量が５０００程度のもの（液状デキストリン）
・糖質Ｂ：澱粉分解物（コーンスターチ起源）で平均分子量が１０００程度のもの（酸分解水飴）
・糖質Ｃ：澱粉分解物（コーンスターチ起源）で平均分子量が２００程度のもの（異性化液糖）
（Ａ）第一発明に係る実施例：
＜実施例１の１〜１の１２、比較例１・対照例１＞
表１に示す糖質を、所定濃度となる量の水と混合して約４０℃まで加温後、表示のゲル化増粘剤を所定濃度となる量添加し、かき混ぜながら、約８５℃まで加温して溶解させる。こうして溶解させた高粘度液体４０ｇをポリエチレン袋に充填した後、熱シールして、放冷して室温まで冷却した（大きさ：４ｃｍ×１０ｃｍ×１ｃｍ）。
【００９１】
こうして調製した各保冷剤パックについて、手で触り通常の力でゲル破壊しないかでゲル性の有無を判定した。
【００９２】
また、各保冷剤パックについて、下記保冷性試験を行うとともに、解凍したものについても上記同様にゲル性の有無（凍結解凍耐性の確認）の判定を行った。
【００９３】
なお、水、従来例（市販のポリアクリル酸ソーダ系保冷剤）についても実施例と同様に充填・密封したものについて保冷性試験を行った。
【００９４】
＜保冷性試験＞
試験品を−２０℃で１６時間冷凍した後、室温で放置・解凍し、解凍過程における試験品の表面温度（保冷温度）を時間経過とともに測定して、保冷時間を求めた。
【００９５】
【表１】
2008156588.tif 000002
【００９６】
【表２】
2008156588.tif 000003
表２に示す結果から、糖質を含有しない対照例１は凍結解凍後ゲル性を失い、保形性がなくなっている。このことより、糖質の含有は冷凍解凍時のゲル破壊を防ぎ、凍結解凍耐性を付与できる作用を奏すると言える。
【００９７】
また、保冷性試験の結果を、図１〜４に示す。図１・２・４において従来例を、図１・３において水を、図２・３において実施例１の４を、それぞれ、参照のために重複表記してある。
【００９８】
１）図１に示す実施例１の１〜１の３及び水・従来例の保冷時間と保冷温度は、下記の如くであった。
【００９９】
実施例１の１・・・１２５分、−０．４℃、
実施例１の２・・・１２０分、−０．７℃、
実施例１の３・・・１１０分、−１．５℃、
水・・・１２０分、０℃、
従来例・・・１５０分、０℃
糖質の平均分子量が大きくなるに従い保冷時間は長くなり、平均分子量が小さくなるに従い保冷温度が低くなっているのが分かる。実施例１の１・２は、水の保冷性能と同等もしくは優れているといえるが、ポリアクリル酸ソーダ系保冷剤よりは劣っている。
【０１００】
なお、実施例１の４の保冷剤について、繰り返し使用しているが、５回使用後、ゲル破壊が生じていない。
【０１０１】
２）図２・図３に示す実施例１の４・１の５・１の６・１の１１・１の１２の保冷時間と保冷温度は、下記の如くであった。
【０１０２】
実施例１の４・・・１４５分、−０．１℃、
実施例１の５・・・１４０分、−０．３℃、
実施例１の６・・・１５０分、−０．１℃、
実施例１の１１・・・９５分、−０．５℃
実施例１の１２・・・９０分、−０．６℃
比較例１・・・１０５分、−０．６℃
糖質濃度が低くなるに従って保冷時間が長くなり、糖質濃度が高くなるに従って保冷温度が低くなっている。
【０１０３】
また、実施例１の４〜１の６はポリアクリル酸ソーダ系保冷剤とほぼ同等の保冷性能（保冷時間・保冷温度）を有する。すなわち、糖質含有率が約７％以下であることが望ましい。
【０１０４】
さらに、糖質濃度３０及び４０％の実施例１の１１・１の１２は、水（氷）の約７．５割以上の保冷時間を有する。糖質濃度５０％の比較例は、実質的な保冷温度・時間を示さない。
【０１０５】
３）図４に示す実施例１の７〜１の１０及び従来例における保冷時間と保冷温度は、下記の如くであった。
【０１０６】
実施例１の７・・・１４５分、−０．１℃、
実施例１の８・・・１４５分、−０．１℃、
実施例１の９・・・１４０分、−０．２℃
実施例１の１０・・・１４０℃、−０．３℃、
実施例１の７〜１の１０も、実施例１の４〜１の６と同様、従来例とほぼ同等の保冷性能（保冷時間・保冷温度）を有しており、ゲル化剤の種類の違いによる保冷性能への影響は少ない。
（Ｂ）第二発明に係る実施例：
＜実施例２の１〜２の１５、比較例２、対照例２の１・２＞
表３に示す組成物を用いて、保冷剤充填量および保冷剤パックの大きさ以外は、第一発明の場合と同様にして、各保冷剤パックを調製した。なお、保冷剤充填量は８０ｇ、保冷剤パックの大きさは、１２ｃｍ×８ｃｍ×０．５ｃｍとした。
【０１０７】
【表３】
2008156588.tif 000004
こうして調製した各保冷剤パックについて、第一発明と同様にして、ゲル性試験および保冷性試験を行うとともに、更に、凍結時の柔軟性を手で折り曲げチェック或いは、指での押し込み柔らかさを調べることで、凍結時柔軟性の判定し、また、解凍したものについても上記同様にゲル性試験(凍結解凍耐性の確認)の判定を行った。
【０１０８】
なお、第一発明の場合と同様、水、従来例(市販のポリアクリル酸ソーダ系保冷剤)についても実施例と同様に充填・密封したものについて保冷性試験を行った。
【０１０９】
表４に示す結果から、糖質を含有しない対照例２の１は凍結解凍後ゲル性を失い、保形性がなくなっている。このことより、糖質の含有は冷凍解凍時のゲル破壊を防ぎ、凍結解凍耐性を付与できる作用を奏すると考えられる。
【０１１０】
さらに、表４において、ゲル化増粘剤を糖質共に用い、凍結防止剤と共に混合した実施例２の８を、凍結防止剤のみを水と共に試用した対照例２の２と比較すると、当該実施例では凍結後の柔軟性を有しているが、同量の凍結防止剤のみを含む、対照例２の２では凍結時柔軟性は観察されていない。このことから、凍結時柔軟性には、凍結防止剤のみではなく、糖質及びゲル化増粘剤との間の相互作用が影響していることが考えられる。
【０１１１】
なお、同量の糖質とゲル化増粘剤を含む場合、表４の結果より、凍結防止剤の添加量を増やすことにより、凍結温度は下がり、冷凍時のゲル性を発現する。
【０１１２】
【表４】
2008156588.tif 000005
また、保冷性試験の結果を、図５〜１０に示す。図５・６において従来例・水及び実施例２の１・２の２を、図６・７・８・９において実施例２の４を、図２・３において実施例１の４を、それぞれ、参照のために重複表記してある。
【０１１３】
１）図５に示す実施例２の１〜２の３及び水・従来例の保冷時間と時間内保冷温度推移又は保冷温度は下記の如くであった。
【０１１４】
実施例２の1・・・・・１０５分、−約１５℃から徐々に上昇
実施例２の２・・・・・１０５分、−約１５℃から徐々に上昇
実施例２の３・・・・・  ９５分、−約１５℃から徐々に上昇
水・・・・・・・・１２０分、  ０℃
従来例・・・・・・１４０分、  ０℃
糖質の平均分子量が大きくなるに従い保冷時間は長くなり、平均分子量が小さくなるに従い初期保冷温度が若干であるが低くなっている。
【０１１５】
２） 図６に示す実施例２の１、２の２、２の４、２の５の保冷時間と時間内保冷温度推移又は保冷温度は下記の如くであった。
【０１１６】
実施例２の1・・・・・１０５分、−約１５℃から徐々に上昇
実施例２の２・・・・・１０５分、−約１５℃から徐々に上昇
実施例２の４・・・・・１３５分、−約１５℃から徐々に上昇
実施例２の５・・・・・１３５分、−約１５℃から徐々に上昇
比較例２・・・・・８５分、−約１５℃から徐々に上昇
水・・・・・・・・１２０分、  ０℃
従来例・・・・・・１４０分、  ０℃
糖質濃度が低くなるに従って保冷時間が長くなり、糖質濃度が高くなるに従って推移保冷温度が低くなっている。
【０１１７】
なお、実施例２の４の保冷剤について、繰り返し使用しているが、５回使用後、解凍時のゲル破壊が生じていない。
【０１１８】
３）図７に示す実施例２の４・１４・１５の保冷時間と時間内保冷温度推移は下記の如くであった。
【０１１９】
実施例２の４・・・・・１３５分、−約１５℃から徐々に上昇
実施例２の１４・・・・・１４５分、−約１５℃から徐々に上昇
実施例２の１５・・・・・１２０分、−約１５℃から徐々に上昇
糖質とゲル化増粘剤の含有率が同一の場合、凍結防止剤の量が少ない場合の方が、保冷時間が長くなる。
【０１２０】
図５・６・７より実施例２の４・５はポリアクリル酸ソーダ系保冷剤と略同等の保冷性能(保冷時間・保冷温度)を有する。即ち、糖質含有率を約５％とすることが望ましい。
【０１２１】
さらに、糖質含有率１０％の実施例２の１・２・３においても、水(氷)の約７５％以上の保冷時間を有する。しかし、凍結防止剤を更に増やした場合も含めて、全体の固形分濃度が高くなるにつれて、実質的に有効な保冷温度・保冷時間を示し難い。
【０１２２】
４）図８に示す実施例２の４・６・７・８における保冷時間と時間内保冷温度推移の如くであった。
【０１２３】
実施例２の４・・・・・１３５分、−約１５℃から徐々に上昇
実施例２の６・・・・・１３５分、−約１５℃から徐々に上昇
実施例２の７・・・・・１３５分、−約１５℃から徐々に上昇
実施例２の８・・・・・１３５分、−約１５℃から徐々に上昇
実施例２の６・７・８も実施例２の４と同様、従来例と略同等の保冷性能(保冷時間・保冷時間内温度)を有しており、ゲル化剤の種類の違いによる保冷性能への影響は少ない。
【０１２４】
５）図９・１０に示す実施例２の４、実施例２の９〜２の１３における保冷時間と時間内保冷温度温度は下記の如くである。
【０１２５】
実施例２の４・・・・・ １３５分、−約１５℃から徐々に上昇
実施例２の９・・・・・ １３５分、−約１５℃から徐々に上昇
実施例２の１０・・・・・１３５分、−約１５℃から徐々に上昇
実施例２の１１・・・・・１３５分、−約１５℃から徐々に上昇
実施例２の１２・・・・・１３５分、−約１５℃から徐々に上昇
実施例２の１３・・・・・１３５分、−約１５℃から徐々に上昇
実施例２の９〜２の１３も実施例２の4と同様、従来例と略同等の保冷性能(保冷時間・時間内保冷温度推移)を有しており、糖質濃度とゲル化増粘剤の濃度が同じであれば、凍結防止剤の種類は保冷性能に大きく影響しない。
【図面の簡単な説明】
【０１２６】
【図１】実施例１の１〜１３、従来例、水及び対照例１の保冷剤について行った保冷試験の結果を示すグラフ図である。
【図２】実施例１の４〜１の６及び従来例の各保冷剤について行った保冷試験の結果を示したグラフ図である。
【図３】実施例１の１・４及び実施例１の１１〜１の１２、比較例１及び水の各保冷剤について行った保冷試験の結果を示したグラフ図である。
【図４】実施例１の７〜１〜１０及び従来例の各保冷剤について行った保冷試験の結果を示したグラフ図である。
【図５】実施例２の１〜２の３、水及び従来例の保冷剤について行った保冷試験の結果を示すグラフ図である。
【図６】実施例２の１・２・４・５、水及び従来例の各保冷剤について行った保冷試験の結果を示すグラフ図である。
【図７】実施例２の４・１４・１５の各保冷剤について行った保冷試験の結果を示すグラフ図である。
【図８】実施例２の４・６・７・８の各保冷剤について行った保冷試験の結果を示すグラフ図である。
【図９】実施例２の４・９・１０の各保冷剤について行った保冷試験の結果を示すグラフ図である。
【図１０】実施例２の１１・１２・１３の各保冷剤について行った保冷試験の結果を示すグラフ図である。
【図１】
2008156588.tif 000006
【図２】
2008156588.tif 000007
【図３】
2008156588.tif 000008
【図４】
2008156588.tif 000009
【図５】
2008156588.tif 000010
【図６】
2008156588.tif 000011
【図７】
2008156588.tif 000012
【図８】
2008156588.tif 000013
【図９】
2008156588.tif 000014
【図１０】
2008156588.tif 000015